(57)【特許請求の範囲】
【請求項１】
それぞれ一端側が交流電源に接続された電源側の一対のパターン、これら一対のパターンにそれぞれ一端側が接続されるトランス、および、このトランスのそれぞれの他端側が接続される出力側の一対のパターンを有し、異なる極性のパターンの間隔は同一極性のパターンの間隔より、異なる極性の電源側のパターンおよび出力側のパターンの間隔は同一極性の電源側のパターンおよび出力側のパターンの間隔よりそれぞれ広く、かつ、各パターンは電源側から順次一端側から他端側に向けて形成され、高周波成分を除去する高周波雑音防止用フィルタと；
この高周波雑音防止用フィルタの出力側の一対のパターンに接続され整流する整流器と；
整流器に接続され放電ランプを点灯させるインバータ回路と；
を具備したことを特徴とする放電灯点灯装置。
【発明の詳細な説明】
【０００１】
【発明の属する技術分野】
本発明は、雑音を低減した放電灯点灯装置に関する。
【０００２】
【従来の技術】
従来、たとえば図２に示す放電灯点灯装置が知られている。
【０００３】
この図２に示す放電灯点灯装置は、商用交流電源ｅにヒューズＦを介して高周波雑音防止用フィルタ１が接続され、この高周波雑音防止用フィルタ１は、ヒューズＦを介した商用交流電源ｅ間には、コンデンサC1、トランスTr1、トランスTr2およびコンデンサC2が縦続接続されている。
【０００４】
また、このコンデンサC2の両端間には、全波整流器２の入力端子が接続され、この全波整流器２の出力端子間には、平滑用のコンデンサC3が接続されている。
【０００５】
さらに、このコンデンサC3の両端子間には高周波に変換するインバータ回路３が接続されている。このインバータ回路３は、トランジスタQ1およびトランジスタQ2が直列に接続され、これらトランジスタQ1およびトランジスタQ2にはそれぞれ還流用のダイオードD1およびダイオードD2が接続されている。また、それぞれのトランジスタQ1およびトランジスタQ2のベースには、発振制御回路４が接続され、トランジスタQ1およびトランジスタQ2の接続点からはバラストチョークL1および直流カット用のコンデンサC4が直列に接続されている。
【０００６】
また、このインバータ回路３の出力端子間には、放電ランプとしての蛍光ランプFLのフィラメントFLa，FLbが接続され、これらフィラメントFLa，FLbの他端間には、予熱用のコンデンサC5が接続されている。
【０００７】
そして、この放電灯点灯装置は、高周波雑音防止用フィルタ１で高周波成分を除去し、インバータ回路３で高周波に変換して蛍光ランプFLを点灯させている。
【０００８】
また、図２に示す放電灯点灯装置の内の高周波雑音防止用フィルタ１は、図３に示すように、基板５上に、商用交流電源ｅの一方の極性のパターンＰＡ、他方の極性のパターンＰＢ、直流の正極のパターンＰＣおよび直流の負極のパターンＰＤが形成されている。
【０００９】
そして、これらパターンＰＡ，ＰＢ，ＰＣ，ＰＤは、異なる極性間では、３ｍｍ〜３．５ｍｍの間隙を介して入り組んだ形状で配設されている。
【００１０】
【発明が解決しようとする課題】
しかしながら、上記図３に示すように配設されている場合には、近接しているパターンＰＡ，ＰＡ間に浮遊容量CS1、パターンＰＡ，ＰＢ間に浮遊容量CS2、パターンＰＡ，ＰＣ間に浮遊容量CS3が形成されてしまう。
【００１１】
一方、インバータ回路３は高周波を出力しているため、これら浮遊容量CS1，CS2，CS3のインピーダンスが非常に小さくなり、短絡経路が形成される。すなわち、全波整流器２の一端の交流入力側、トランスTr2および浮遊容量CS1の経路、および、全波整流器２、浮遊容量CS3および浮遊容量CS2の経路が形成され、十分に高周波を除去しないで商用交流電源ｅに電流が流れ込み、たとえばラジオ周波数のノイズなどが生ずる問題を有している。
【００１２】
本発明は、上記問題点に鑑みなされたもので、雑音の低減を図った放電灯点灯装置を提供することを目的とする。
【００１３】
【課題を解決するための手段】
本発明の放電灯点灯装置は、それぞれ一端側が交流電源に接続された電源側の一対のパターン、これら一対のパターンにそれぞれ一端側が接続されるトランス、および、このトランスのそれぞれの他端側が接続される出力側の一対のパターンを有し、異なる極性のパターンの間隔は同一極性のパターンの間隔より、異なる極性の電源側のパターンおよび出力側のパターンの間隔は同一極性の電源側のパターンおよび出力側のパターンの間隔よりそれぞれ広く、かつ、各パターンは電源側から順次一端側から他端側に向けて形成され、高周波成分を除去する高周波雑音防止用フィルタと；この高周波雑音防止用フィルタの出力側の一対のパターンに接続され整流する整流器と；整流器に接続され放電ランプを点灯させるインバータ回路とを具備したもので、異なる極性のパターンの間隔は同一極性のパターンの間隔より広くし、また、異なる極性の電源側のパターンおよび出力側のパターンの間隔は同一極性の電源側のパターンおよび出力側のパターンの間隔よりそれぞれ広くし、各パターンは電源側から順次一端側から他端側に向けて形成することにより、パターン間に浮遊容量が形成されにくくして、たとえばインバータ回路で高周波を発生して放電ランプを点灯する場合にも、雑音などの侵入を防止する。
【００１４】
【発明の実施の形態】
以下、本発明の放電灯点灯装置の一実施の形態を図面を参照して説明する。
【００１５】
この実施の形態でも、放電灯点灯装置は、図２に示す用に形成され、商用交流電源ｅにヒューズＦを介して高周波雑音防止用フィルタ１が接続され、この高周波雑音防止用フィルタ１は、ヒューズＦを介した商用交流電源ｅ間には、コンデンサC1、トランスTr1、トランスTr2およびコンデンサC2が縦続接続されている。
【００１６】
また、このコンデンサC2の両端間には、全波整流器２の入力端子が接続され、この全波整流器２の出力端子間には、平滑用のコンデンサC3が接続されている。
【００１７】
さらに、このコンデンサC3の両端子間には高周波に変換するインバータ回路３が接続されている。このインバータ回路３は、トランジスタQ1およびトランジスタQ2が直列に接続され、これらトランジスタQ1およびトランジスタQ2にはそれぞれ還流用のダイオードD1およびダイオードD2が接続されている。また、それぞれのトランジスタQ1およびトランジスタQ2のベースには、発振制御回路４が接続され、トランジスタQ1およびトランジスタQ2の接続点からはバラストチョークL1および直流カット用のコンデンサC4が直列に接続されている。
【００１８】
また、このインバータ回路３の出力端子間には、放電ランプとしての蛍光ランプFLのフィラメントFLa，FLbが接続され、これらフィラメントFLa，FLbの他端間には、予熱用のコンデンサC5が接続されている。
【００１９】
そして、この放電灯点灯装置は、高周波雑音防止用フィルタ１で高周波成分を除去し、インバータ回路３で高周波に変換して蛍光ランプFLを点灯させている。
【００２０】
また、図２に示す放電灯点灯装置の内の高周波雑音防止用フィルタ１は、図１に示すように、基板５上に、商用交流電源ｅの一方の極性のパターンＰＡ、他方の極性のパターンＰＢ、直流の正極のパターンＰＣおよび直流の負極のパターンＰＤが形成されている。
【００２１】
すなわち、図１に示すように、商用交流電源ｅ側から順次、パターンＰＡおよびパターンＰＢは、長手方向に沿って一端側から他端側に向けてほぼ直線状に形成されている。また、これらパターンＰＡ，ＰＢでは、異なる極性間では交差あるいは入り組みなどが生じないようにそれぞれ直線状にするとともに、同一極性の部分間でも、たとえばトランスTr1およびトランスTr2により電位降下が生じて電位差を有する部分も直線状に配設して所定以上の間隙を形成している。なお、ヒューズＦではほとんど電位降下が生じないので、このヒューズＦの部分は直線状の部分から、他方のパターンＰＡを有する部分とは反対側に突設させて、長手方向の長さが必要以上にならないようにしている。
【００２２】
また、パターンＰＡおよびパターンＰＣ間でも、基板５の長手方向において重なる部分を極力小さくし、パターンＰＢおよびパターンＰＤ間では、互いに遠ざかるようにパターンＰＤを基板５の長手方向に直行する方向に配設した後、基板５の長手方向に沿うように、ほぼ直線状に位置させている。
【００２３】
したがって、異なる極性のパターンＰＡ，ＰＢ，ＰＣ，ＰＤ間では浮遊容量が形成されないとともに、同一極性のパターンＰＡ，ＰＢ，ＰＣ，ＰＤ内の異なる電位の部分間でも浮遊容量は生じないので、特に高周波を発生するインバータ回路３などを有するものに用いても、高周波が浮遊容量により短絡した状態で流れることを防止できるので、雑音の発生などを防止できる。
【００２４】
【発明の効果】
本発明の放電灯点灯装置によれば、異なる極性のパターンの間隔は同一極性のパターンの間隔より広くし、また、異なる極性の電源側のパターンおよび出力側のパターンの間隔は同一極性の電源側のパターンおよび出力側のパターンの間隔よりそれぞれ広くし、各パターンは電源側から順次一端側から他端側に向けて形成したので、パターン間に浮遊容量が形成されにくくして、たとえばインバータ回路で高周波を発生して放電ランプを点灯する場合にも、雑音などの侵入を防止できる。
【図面の簡単な説明】
【図１】本発明の放電灯点灯装置の一実施の形態の基板上の配置を示す配置図である。
【図２】同上放電灯点灯装置を示す回路図である。
【図３】従来例の基板上の配置を示す配置図である。
【符号の説明】
１ 高周波雑音防止用フィルタ
２ 全波整流器
３ インバータ回路
ｅ 商用交流電源
FL 放電ランプとしての蛍光ランプ
ＰＡ，ＰＢ，ＰＣ，ＰＤ    パターン
Tr1，Tr2 トランス
【図１】
0003546904.tif 000002
【図２】
0003546904.tif 000003
【図３】
0003546904.tif 000004